(57)【要約】      （修正有）【課題】遊技機構に近接して配置される発光表示パネルにおいて、光源の点光りのような現象を抑制しつつ、その発光表示面の全体に亘り均一な発光ないし表示光量を容易に得ることができるようにする。【解決手段】遊技機の下パネル５５の上部の後方にメダルの搬送経路を決定するセレクタが配置される構成では、下パネル５５の発光表示面５５ＩＬおよびセレクタとの間の隔壁５５５Ｂとの奥行きＤ２が、（例えばＬＥＤ５７１から反射面５５５６までの距離（Ｄ１）に比して）かなり狭く制限される。このような構成において、発光表示面５５ＩＬおよび隔壁５５５Ｂの間を光軸Ｌが通過するようにＬＥＤ５７１を搭載したＬＥＤ基板５８１を配置する。また、隔壁５５５Ｂの一部には、ＬＥＤ５７１の照射光を発光表示面５５ＩＬに向かって反射させる反射面５５５６を配置する。【選択図】図４
2018157912.tif 000002
【特許請求の範囲】
【請求項１】
遊技に用いられる遊技機構と、
発光表示面と、
前記発光表示面および前記遊技機構の間に配置された隔壁と、
前記発光表示面および前記隔壁の間を光軸が通過するように配置された第１の光源と、
前記隔壁の一部に配置され前記第１の光源の照射光を前記発光表示面に向かって反射させる反射面と、を備え、
前記発光表示面と前記隔壁の間の距離が、前記第１の光源から前記反射面までの距離よりも短いことを特徴とする遊技機。
【請求項２】
請求項１に記載の遊技機において、前記反射面は、前記第１の光源に近い部位よりも、前記第１の光源に遠い部位の方が前記発光表示面により近接する形状の凹面によって構成されることを特徴とする遊技機。
【請求項３】
請求項１または２に記載の遊技機において、
前記隔壁が、
前記発光表示面までの距離が、前記第１の光源から前記反射面までの距離よりも短い第１の範囲と、
前記第１の範囲から延び、前記発光表示面までの距離が前記第１の範囲よりも長い第２の範囲と、を備え、
前記反射面が、前記隔壁の前記第１の範囲の、前記第２の範囲側の端部に配置されていることを特徴とする遊技機。
【請求項４】
請求項３に記載の遊技機において、前記隔壁の前記第２の範囲に、光軸が前記発光表示面の方向を向くよう配置された第２の光源を備えたことを特徴とする遊技機。
【発明の詳細な説明】
【技術分野】
【０００１】
本発明は、遊技機に関するものである。
【背景技術】
【０００２】
メダルや遊技球のような遊技媒体を介して特定の遊技を行う遊技機としてパチンコ台やスロットマシンのような装置が知られている。この種の遊技機では、装置の前面を構成する前扉部分に表示パネルを配置したものがある。この種の表示パネルとしては、スロットマシンなどの場合、前扉のリールの配置位置よりも上部に配置された上パネルや、リールよりも下部に配置された下パネルなどが知られている。
【０００３】
スロットマシンの下パネル、特にその表示面は、例えば遊技機のテーマや関連するキャラクタの画像を表示するために用いられる。このような表示画像は、下パネルの表示面の背面側に印刷したり、あるいはそのような表示画像が付与されたシートを表示面の背面側に配置することなどによって付与される。そして、下パネルの表示面を光源によって背面側から照明することにより、表示画像の発光表示が行われる。
【０００４】
上記の下パネルの照明用の光源には、蛍光灯や冷陰極線管などが用いられる他、近年では、ＬＥＤのような光源デバイスが広く利用されている。ＬＥＤを光源に用いる場合、スロットマシンの下パネルのように比較的、広い被照明面積を有する照明（表示）装置では、ＬＥＤを多数配置したＬＥＤ基板をパネルの背面側に適宜配置して、パネルを面発光させる構成が取られることがある。
【０００５】
このように、ＬＥＤのような点光源を構成する照明デバイスによってパネルを面発光させる構成では、いわゆる「点光り」が問題になることがある。被照明部材としてのパネルは、表示すべきテーマやキャラクタの画像の印刷が拡散面として作用するが、光源のＬＥＤがパネルに近接しすぎている場合には、面発光表示に加えて光源の「点光り」が観察者に知覚される場合がある。
【０００６】
このため、スロットマシンの下パネルでは、例えばパネル背面側に、ある程度、離間させた位置にＬＥＤ光源を配置し、被照明部材であるパネルまで到達する光路が比較的長くなるような構成が取られる（例えば下記の特許文献１）。
【先行技術文献】
【特許文献】
【０００７】
【特許文献１】特開２０１４−１００１６６号公報
【発明の概要】
【発明が解決しようとする課題】
【０００８】
特許文献１に記載の構造では、同公報の図２６に示されるように、下パネル（１４３）のための照明装置を収容した照明装置収容部（３８）内に、２つのＬＥＤ基板（４２、４２）が収容されている。下パネル（１４３）は、その背面側に充分な距離離間させて配置されたＬＥＤ基板（４２、４２）によって斜め下方（同図の矢印Ａ）から照明される。
【０００９】
特許文献１の構成では、ＬＥＤ基板（４２、４２）は、照明装置収容部（３８）背面側の中央および下部の高さに配置されており、照明装置収容部（３８）の上部には配置されていない。これは、特許文献１の構成では、同公報の図２６や図８に示されるように、照明装置収容部（３８）の上部の奥行きや内容積が、中央部や下部に比して極めて小さく制限されているためで、もしこのような形状の照明装置収容部（３８）の上部にＬＥＤ基板（４２）を配置すると「点光り」を回避することができない可能性があるため、と考えられる。そして、特許文献１の構成において、照明装置収容部（３８）の上部の奥行きや内容積が制限されている（同公報の図２６、図８）一因は、下パネル（１４３）の表示面がメダル投入口（１２７）の下部に近接して配置されている点にある。
【００１０】
一般に、スロットマシンでは、メダル投入口（１２７）の下部には、投入されたメダルを検知するメダルセレクタ（７１）を配置する必要がある。このメダルセレクタ（７１）は、メダルの真正度を検知するためのセンサやメダルの転動先を選択するための機構部などを含み、比較的大きな配置スペースを必要とする。そこで、メダル投入口（１２７）の下部に近接して下パネル（１４３）の表示面を配置する場合には、メダルセレクタ（７１）、あるいはさらにメダルセレクタ（７１）からホッパーユニット（１１）などにメダルを搬送するための搬送路としてのメダルシュート（７２）を避けるように、下パネル（１４３）の照明装置収容部（３８）の形状、特にその背面側の隔壁は、同公報の図８のように上部の奥行きや内容積が極めて制限された形状に構成せざるを得ない。
【００１１】
以上のような事情により、特許文献１のような構造では、照明光源の「点光り」を避ける観点から照明装置収容部（３８）の上部にＬＥＤ基板（４２）を配置するのが難しい場合がある。そして、このような構造では、下パネル（１４３）の上部の照明光量が不足し、表示光量（輝度が）足りず、そのため遊技者に他の部位よりも表示が薄暗く知覚される可能性がある。一方、下パネル（１４３）前面の表示光量分布を考慮して照明装置収容部（３８）の上部にＬＥＤ基板（４２）を配置した場合には、その配置態様によっては、パネル上部の表示光量が得られても遊技者に光源の「点光り」が知覚される可能性がある。
【００１２】
以上では、スロットマシンの下パネルを例に説明したが、同様の問題点は、メダルセレクタやメダルシュートに限らず、他の遊技機構に近接して配置される表示パネルを備えた遊技機に共通するものである。
【００１３】
本発明の課題は、上記の問題に鑑み、遊技機構に近接して配置される発光表示パネルにおいて、光源の点光りのような現象を抑制しつつ、その発光表示面の全体に亘り均一な発光ないし表示光量を容易に得ることができるようにすることにある。
【課題を解決するための手段】
【００１４】
上記課題を解決するため、本発明においては、遊技に用いられる遊技機構（５６１）と、発光表示面（５５ＩＬ）と、前記発光表示面（５５ＩＬ）および前記遊技機構（５６１）の間に配置された隔壁（５５５Ｂ）と、前記発光表示面（５５ＩＬ）および前記隔壁（５５５Ｂ）の間を光軸（Ｌ）が通過するように配置された第１の光源（５７１）と、前記隔壁（５５５Ｂ）の一部に配置され前記第１の光源（５７１）の照射光を前記発光表示面（５５ＩＬ）に向かって反射させる反射面（５５５６）と、を備え、前記発光表示面（５５ＩＬ）と前記隔壁（５５５Ｂ）の間の距離（Ｄ２）が、前記第１の光源（５７１）から前記反射面（５５５６）までの距離（Ｄ１）よりも短い構成を採用した。
【００１５】
あるいはさらに、前記反射面（５５５６）は、前記第１の光源（５７１）に近い部位よりも、前記第１の光源（５７１）に遠い部位の方が前記発光表示面（５５ＩＬ）により近接する形状の凹面から成る構成を採用した。
【００１６】
あるいはさらに、前記隔壁（５５５Ｂ）が、前記発光表示面（５５ＩＬ）までの距離が、前記第１の光源（５７１）から前記反射面（５５５６）までの距離よりも短い第１の範囲（５５５１）と、前記第１の範囲（５５５１）から延び、前記発光表示面（５５ＩＬ）までの距離が前記第１の範囲（５５５１）よりも長い第２の範囲（５５５２〜５５５３）と、を備え、前記反射面（５５５６）が、前記隔壁（５５５Ｂ）の前記第１の範囲（５５５１）の、前記第２の範囲（５５５２）側の端部に配置されている構成を採用した。
【００１７】
あるいはさらに、前記隔壁（５５５Ｂ）の前記第２の範囲（５５５２）に、光軸が前記発光表示面の方向を向くよう配置された第２の光源（５７２、５７３）を備えた構成を採用した。
【００１８】
なお、以上の各構成要件に付した括弧書きの参照符号は、請求項と下記の実施形態の対応づけを容易にするためのものであって、本発明の構成要件を下記の実施形態の構成に限定することを意図したものではない（次欄においても同様）。
【発明の効果】
【００１９】
上記構成によれば、発光表示面（５５ＩＬ）と隔壁（５５５Ｂ）の間の距離（Ｄ２）が第１の光源（５７１）から反射面（５５５６）までの距離（Ｄ１）よりも短い領域において、発光表示面（５５ＩＬ）および隔壁（５５５Ｂ）の間を光軸（Ｌ）が通過するように第１の光源（５７１）を配置する。これにより、遊技機構（５６１）によって照明空間の奥行き、即ち発光表示面（５５ＩＬ）と隔壁（５５５Ｂ）の間の距離（Ｄ２）が狭く制限された領域において、発光表示面（５５ＩＬ）の表示光量が他の部位よりも不足するのを防ぐことができる。また、隔壁（５５５Ｂ）の一部に、第１の光源（５７１）の照射光を発光表示面（５５ＩＬ）に向かって反射させる反射面（５５５６）を配置しているため、発光表示面（５５ＩＬ）の隔壁（５５５Ｂ）までの距離（Ｄ２）が小さい領域に反射面（５５５６）で反射させた間接照明光を効率よく照射することができ、発光表示面（５５ＩＬ）の上部が例えば遊技者によって薄暗く知覚されたりする可能性を低減することができる。さらに、第１の光源（５７１）は、その光軸（Ｌ）が発光表示面（５５ＩＬ）の背面と隔壁（５５５Ｂ）との間を通過するような向きで装着しているので、発光表示面（５５ＩＬ）を介して「点光り」が知覚される可能性を大きく低減することができる。
【００２０】
また、上記の反射面（５５５６）は、例えば第１の光源（５７１）に近い部位よりも、第１の光源（５７１）に遠い部位の方が発光表示面（５５ＩＬ）により近接する形状の凹面から成る構成とすることができる。これにより、例えば発光表示面（５５ＩＬ）の隔壁（５５５Ｂ）までの距離（Ｄ２）が小さい領域に効率よく照明光を照射することができる。
【００２１】
あるいはさらに、上記の隔壁（５５５Ｂ）が、例えば、発光表示面（５５ＩＬ）までの距離が、第１の光源（５７１）から反射面（５５５６）までの距離よりも短い第１の範囲（５５５１）と、第１の範囲（５５５１）から延び、発光表示面（５５ＩＬ）までの距離が第１の範囲（５５５１）よりも長い第２の範囲（５５５２〜５５５３）と、を備え、反射面（５５５６）が、隔壁（５５５Ｂ）の第１の範囲（５５５１）の、第２の範囲（５５５２）側の端部に配置されている構成を用いることができる。これにより、隔壁（５５５Ｂ）から発光表示面（５５ＩＬ）までの距離が、第１の光源（５７１）から反射面（５５５６）までの距離よりも短い第１の範囲（５５５１）の端部に配置した反射面（５５５６）によって、発光表示面（５５ＩＬ）の上後部の隔壁（５５５Ｂ）までの距離（Ｄ２）が小さい領域に効率よく照明光を照射することができる。
【００２２】
あるいはさらに、隔壁（５５５Ｂ）の第２の範囲（５５５２）に、光軸が発光表示面（５５ＩＬ）の方向を向くよう配置された第２の光源（５７２、５７３）を配置することにより、発光表示面（５５ＩＬ）の上後部の隔壁（５５５Ｂ）までの距離（Ｄ２）が小さい領域のみならず、隔壁（５５５Ｂ）までの距離（Ｄ３、Ｄ４）がそれより大きい領域も含め、発光表示面（５５ＩＬ）の全体に亘って均一な発光ないし表示光量を得ることができる。
【００２３】
以上のように、本発明によれば、遊技機構に近接して配置される発光表示パネルにおいて、光源の点光りのような現象を抑制しつつ、その発光表示面の全体に亘り均一な発光ないし表示光量を得ることができる、という優れた効果がある。
【図面の簡単な説明】
【００２４】
【図１】本発明を実施可能なスロットマシンの全体構成を示した斜視図である。
【図２】図１のスロットマシンの筐体内部の概略構成を示した正面図である。
【図３】図１のスロットマシンの下パネルの断面構成、およびセレクタの位置関係を示した断面図である。
【図４】図１のスロットマシンの下パネルの構成を示した一部破断斜視図である。
【図５】図１のスロットマシンの下パネルの光学的な構成を示した断面図である。
【図６】図１のスロットマシンの下パネルの内部構成を示した一部破断斜視図である。
【図７】図６よりも前扉背面側に近い断面によって下パネルの内部構成を示した一部破断斜視図である。
【図８】図１のスロットマシンの下パネルの正面図である。
【図９】図１のスロットマシンの前扉の背面図である。
【発明を実施するための形態】
【００２５】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。
【００２６】
＜遊技機の全体構成＞
本発明の実施の形態に係る遊技機としてのスロットマシン１の全体構成について図１および図２に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は６面体構造のうち遊技者に対向する前面が開口した例えば木製の筐体１０を備えるとともに、この開口した筐体１０の前面を開閉可能な前扉５０により覆って構成されている。
【００２７】
筐体１０の内部には、図２に示すように、複数のリールとしての第１リールＲ１〜第３リールＲ３を備えたリールユニット３０が収められている。このリールユニット３０の下部には、投入されたメダルの貯留部、ないしメダルの払出部としても機能するホッパーユニット２０が収められている。
【００２８】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００２９】
上記リールユニット３０の上方には、前扉５０の裏側に配設された副制御基板ユニット（不図示）、および遊技機の制御基板を構成する主制御基板ユニット４１が設けられている。主制御基板ユニット４１は、ＣＰＵ、ＲＯＭ（情報記憶媒体の一例）、ＲＡＭなどの制御部材を搭載し、遊技を実行するための各種の演算を行って上記リールユニット３０や、ホッパーユニット２０などの動作を制御する。さらに、筐体１０の高さ方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１は、リールユニット３０やホッパーユニット２０などの他ユニットと接続されている。
【００３０】
前扉５０の上部、中央上部、下部には、それぞれ、演出用の絵柄や配当表などを表示する上パネル５７、中央パネル５２、下パネル５５が配置されている。中央パネル５２には、第１リールＲ１〜第３リールＲ３の回転状態および停止状態を観察可能にする表示窓５１が設けられている。第１リールＲ１〜第３リールＲ３の停止状態では、第１リールＲ１〜第３リールＲ３のそれぞれの外周面に一定間隔で配列された複数種類の図柄のうち、外周面上に連続して配列されている３つの図柄（上段図柄、中段図柄、下段図柄）をスロットマシン１の正面から表示窓５１を介して観察できるようになっている。
【００３１】
また、本実施形態のスロットマシン１では、表示窓５１を通じて図柄を観察するための表示位置として、各リールについて上段、中段、下段が設けられており、各リールの表示位置の組合せ（本実施の形態では中段一列）によって有効ラインＬ１が設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬ１が有効化される。
【００３２】
さらに、中央パネル５２には、第１リールＲ１〜第３リールＲ３の停止順序（以下、打順ともいう）を報知する第１ナビランプＮＬ１〜第３ナビランプＮＬ３が表示窓５１の上方に設けられており、第１リールＲ１〜第３リールＲ３にそれぞれ対応する第１ナビランプＮＬ１〜第３ナビランプＮＬ３が点灯することによって、遊技者に打順を報知するようになっている。また、中央パネル５２の表示窓５１の下方には、ＬＥＤ、ランプ、７セグメント表示器等からなる遊技情報表示部ＤＳが設けられており、遊技情報表示部ＤＳにはメダルのクレジット数、１回の遊技におけるメダルの払出数あるいは獲得数、今回の遊技で当選した役の情報に係る報知表示、有利期間などの各種遊技情報が表示されるようなっている。
【００３３】
前扉５０の扉下部分５３は、例えば中央パネル５２のパネル面よりも前方（遊技者側）に突出する形状に構成されている。扉下部分５３の上部には、遊技者がメダルを投入するメダル投入口５６が配置されるとともに、扉下部分５３の前面には下記のような各種の操作手段が配置される。
【００３４】
この操作手段には、クレジット（貯留）されたメダルを投入する操作を行うための投入操作手段として、１枚のメダルを投入するシングルベットボタンＢＴ、および規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３、およびクレジットされたメダルを精算するための精算ボタンＢＳ、などの操作手段が含まれる。
【００３５】
扉下部分５３の上部のメダル投入口５６から遊技者が投入したメダルは、図９（あるいは後述の図３）に示すように扉下部分５３の裏側に設けられたセレクタ５６１に到達する。
【００３６】
また、扉下部分５３のメダル投入口５６より下方の前面には、下パネル５５が配置されている。下パネル５５の発光表示面（後述の５５ＩＬ）は、図１のように、例えばその下部が上部よりも遊技機の前方に向かってせり出すようなチルト形状とすることができる。
【００３７】
下パネル５５は、例えば遊技機のテーマや関連のキャラクタの画像を表示するためのもので、その表示画像は、下パネルの表示面の背面側に印刷したり、あるいはそのような表示画像が付与されたシートを表示面の背面側に配置することなどによって付与される。本実施形態における下パネル５５、特にその前扉５０の背面側の構造については、後で詳細に説明する。
【００３８】
図９は、前扉５０の背面側の構成を示しており、上記のメダル投入口５６（図１）から投入されたメダルは、メダル投入口５６の下部の扉背面側に配置されたセレクタ５６１によって、その行き先が選択される。セレクタ５６１は、例えばメダルのサイズ等を介して真正度（真偽）を検出し、その結果に応じてメダルの行き先（転動先）を選択する機能を有する。例えば、投入されたメダルが真正である場合には、セレクタ５６１の検出に応じて主制御基板ユニット４１でカウントアップされ、セレクタ５６１は、筐体１０内のホッパーユニット２０（図２）に向かうメダル搬送路５６２の方向に当該のメダルを通過させる。一方、真正なものと異なるメダル、あるいは現状でクレジット可能なメダル枚数（例えば５０枚）を超えて投入されたメダル、第１リールＲ１〜第３リールＲ３の回転中等のメダルの投入が受け付けられていない期間において投入されたメダルについては、セレクタ５６１はメダル払出口５９（前扉前面側の位置については図１参照）に向かうメダル搬送路５６３へと当該のメダルを通過させる。なお、メダル払出口５９に向かうメダル搬送路５６３の途中には、ホッパーユニット２０の払い出し機構（詳細不図示）から払い出されたメダルを通過させるための開口部５６４が設けられている。
【００３９】
セレクタ５６１は、後述の図３、図８に示すように、扉下部分５３の背面側、特にメダル投入口５６の下部から下パネル５５の上部にかけての部位に配置される。このため、セレクタ５６１の配置空間によって、例えば後述する図３に示すように、下パネル５５の後部の隔壁５５５Ｂの形状が制限される。
【００４０】
本実施形態のスロットマシン１では、遊技者がメダルをメダル投入口５６に投入するか、メダルが規定投入数以上にクレジットされている場合に、シングルベットボタンＢＴを規定投入数と同じ回数押下する操作を行う、またはマックスベットボタンＭＢを押下する操作を行うことで、第１リールＲ１〜第３リールＲ３の回転制御を開始することが可能な準備状態にセットされる。そして、遊技者がスタートレバーＳＬを押下する開始操作を実行すると、主制御基板ユニット４１において乱数値を用いた内部抽選が行われた後に第１リールＲ１〜第３リールＲ３をステッピングモータの駆動により回転開始され、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００４１】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３それぞれに対応するストップスイッチがオフ動作を行い、主制御基板ユニット４１へ出力するリール停止信号をオン状態からオフ状態に変化させる。
【００４２】
そして、主制御基板ユニット４１は、ストップボタンＢ１〜ストップボタンＢ３の押下タイミングおよび解放タイミングに応じて信号状態が変化するリール停止信号のオフ状態からオン状態への変化に基づいて、内部抽選の結果に応じた停止位置で第１リールＲ１〜第３リールＲ３を停止させる。
【００４３】
また、主制御基板ユニット４１は、第１リールＲ１〜第３リールＲ３を停止させた後に、有効ラインＬ１上に停止している図柄の組合せに応じて、各種処理を実行する。主制御基板ユニット４１が実行する各種処理としては、例えば、有効ラインＬ１上に停止している図柄の組合せが複数種類の役のうちメダルの払い出しを伴う役である小役の図柄組合せである場合、つまり小役が入賞した場合には、入賞した小役に設定されている配当に基づきホッパーユニット２０からメダルを払い出す払出処理や、有効ラインＬ１上に停止している図柄の組合せが複数種類の役のうち遊技者にメダルを消費させることなく１回遊技を実行可能にする役であるリプレイの図柄組合せである場合には、今回の遊技における規定投入数のメダルを投入状態に設定するリプレイ処理等がある。
【００４４】
また、扉下部分５３の下部には、メダル払出口５９とメダル受け皿６０とが設けられており、遊技の結果に応じた枚数のメダルがメダル払出口５９からメダル受け皿６０へ払い出されるようになっている。また、例えば、遊技機内にクレジットされたメダルが記憶されている状態で、精算ボタンＢＳが押下された場合、精算ボタンＢＳの押下に伴ってホッパーユニット２０からクレジット数（クレジットされたメダルの枚数）に相当する枚数のメダルを払い出す精算処理を実行し、メダル払出口５９からメダル受け皿６０へメダルを払い出す。
【００４５】
さらに、前扉５０には、遊技を盛り上げるために音響装置（６１Ｌ、６１Ｒ、６２Ｌ、６２Ｒ）や、ランプ装置（６３、６５、６７Ｌ、６７Ｒ）などの複数の演出装置が設けられている。具体的には、前扉５０の上部および下部の左右端部には、それぞれ上部スピーカー６１Ｌ、６１Ｒおよび下部スピーカー６２Ｌ、６２Ｒが設けられており、遊技を補助したり、遊技を盛り上げたりするための各種の音声が出力される。
【００４６】
また、前扉５０の上部には、演出用役物としてアーチランプ６３およびパトランプ６５が設けられている。アーチランプ６３は、左右の上部スピーカー６１Ｌ、６１Ｒの間に配置されており、レンズユニットが前方に向かって湾曲して構成されている。また、パトランプ６５は、上記アーチランプ６３の下方でかつ上パネル５７の前面に設けられており、光源の周りを回転部材が回転する回転灯装置によって構成されている。さらに、前扉５０の側端部には、左右のサイドランプ６７Ｌ、６７Ｒが設けられており、これら左右のサイドランプ６７Ｌ，６７Ｒは、扉下部分５３の側方から上部スピーカー６１Ｌ、６１Ｒの側方まで、前扉５０の上下方向略全長に亘って延設されている。これらアーチランプ６３、パトランプ６５およびサイドランプ６７Ｌ、６７Ｒなどのランプ装置は、遊技に合わせて点灯して演出用の照明装置として機能させたり、遊技に係る情報を遊技者に報知する報知装置として機能させることができる。
【００４７】
＜下パネルの構造＞
以下、図３〜図８、および図９を参照して、本実施形態のスロットマシン１の下パネル５５の構成につき詳細に説明する。図３、図４は下パネル５５と、その背面側の照明装置収容部５５５の構造を断面図として示している。また、図５〜図７は下パネル５５および照明装置収容部５５５の構造を一部破断した斜視図によって示している。
【００４８】
また、図８は、下パネル５５を正面から示しており、同図のＡ−Ａ’線は図３の断面位置を、Ｂ−Ｂ’線は図４の断面位置をそれぞれ示している。また、図４中のＣ線は図６の一部破断断面の位置を示し、Ｄ線は図７の一部破断断面の位置を示している。
【００４９】
図８に示すように、下パネル５５は、遊技機正面から見ると、左上、左下、右上、右下の四隅に例えば額縁様の意匠５５１ＵＬ、５５１ＬＬ、５５１ＵＲ、５５１ＬＲなどを有する下パネル枠５５１によって周囲を囲まれている。また、扉下部分５３から前方に突出して配置された下パネル５５の下パネル枠５５１の左右側面には、例えばストライプ状の段差形状などから成る意匠を備えた測板５５１Ｌ、５５１Ｒが形成されている。そして、下パネル枠５５１（５５１ＵＬ、５５１ＬＬ、５５１ＵＲ、５５１ＬＲ）で囲まれた矩形部分には、下パネル５５の発光表示面（以下、「表示面」と記す）５５ＩＬが露出している。
【００５０】
ここで、図８には、図９で説明したセレクタ５６１の形状および配置位置が実線および破線によって示してある。セレクタ５６１を、メダル投入口５６（図１）の下部に相当する図８（あるいは図９）のような位置に配置することによって、下パネル５５の背面側の照明装置収容部５５５は図３〜図７に示すような形状に構成する必要がある。
【００５１】
例えば、図３は図８のＡ−Ａ’線の断面を同図右方から示しており、同図では特に下パネル５５、およびその背面側の照明装置収容部５５５の断面構造を示している。
【００５２】
下パネル５５の表示面５５ＩＬは、例えば表側パネル５５２、拡散シート５５３、裏側パネル５５４から成る複数層（この例では３層）の積層構造によって構成することができる（図５、図６参照）。このうち、表側パネル５５２は例えば透明または着色アクリルのような樹脂材料から構成し、表示画像は例えばこの表側パネル５５２の背面に印刷などの手法で付与することができる。また、拡散シート５５３は、例えば光拡散性を有する樹脂製のシート材であって、この拡散シート５５３の表示画像を表面に印刷などの手法で付与することも考えられる。裏側パネル５５４は、例えば光透過性を有する透明な樹脂材料、ないしは乳白色アクリルのような光拡散性を有する樹脂材料から構成することができる。
【００５３】
表側パネル５５２、拡散シート５５３、裏側パネル５５４から成る表示面５５ＩＬは、照明装置収容部５５５と下パネル枠５５１（５５１ＵＬ、５５１ＬＬ、５５１ＵＲ、５５１ＬＲ）の間に挟持させ、例えば複数の締結位置５５１１、５５１１…において、照明装置収容部５５５および下パネル枠５５１をビス止めなどの手法によって締結する。これにより、表示面５５ＩＬが下パネル５５の前面に固定される。
【００５４】
照明装置収容部５５５は、下パネル５５の表示面５５ＩＬの後方（前扉５０の背面側）を囲む箱状の構造であって、内部に表示面５５ＩＬを照明するためのＬＥＤ５７１、５７２、５７３をそれぞれ搭載したＬＥＤ基板５８１、５８２、５８３を収容する。
【００５５】
ここで、ＬＥＤ基板５８１、５８２、５８３が搭載するＬＥＤ５７１、５７２、５７３の光軸は、各々のＬＥＤ基板面に対して垂直な方向を有するものとし、例えばこの光軸の方向から観察した場合に最も輝度が大きい。本実施形態のように、下パネル５５の表示面５５ＩＬの表示を面発光させる用途では、ＬＥＤ５７２、５７３のようにその光軸を表示面５５ＩＬの背面に向けた配置では、ＬＥＤ５７２、５７３から表示面５５ＩＬの背面までの距離を充分（例えば後述の図４における奥行きＤ３以上）取らないと表示面５５ＩＬを介してＬＥＤの「点光り」が知覚される可能性がある。
【００５６】
照明装置収容部５５５の背面を画成する隔壁５５５Ｂの、特にその上部はセレクタ５６１の配置空間を避けるように参照符号５５５１、５５５２、さらに５５５３で示すような階段状の形状に構成してある。セレクタ５６１（ないしは図３では不図示のその周囲の部材）を図示の位置に配置することにより、特に照明装置収容部５５５の上部では、図３のように発光表示面である表示面５５ＩＬと、隔壁５５５Ｂの上段５５５１の部分と、の間の距離が極めて狭くならざるを得ない。
【００５７】
図３ないし図４、あるいは図５〜図７に示すように、照明装置収容部５５５の後方の隔壁５５５Ｂの中段５５５２、および下段５５５３の部位には、ＬＥＤ基板５８２、５８３が配置される。ＬＥＤ基板５８２、５８３は、例えば隔壁５５５Ｂの中段５５５２、および下段５５５３垂直な壁面に、例えば複数の嵌合爪５５５７、５５５７…を用いた嵌合構造によって装着することができる。
【００５８】
これらＬＥＤ基板５８２、５８３は、図３、図４に示すようにそれぞれ搭載するＬＥＤ５７２、５７３の主たる照明光軸が下方から斜め上に向かって下パネル５５の表示面５５ＩＬの背面を照射するような姿勢で装着される。図５〜図７に示すように、ＬＥＤ基板５８２、５８３には、複数のＬＥＤ５７２、５７２…、およびＬＥＤ５７３、５７３…がそれぞれ搭載されている。
【００５９】
さらに本実施形態では、上述の特許文献１の構造とは異なり、照明装置収容部５５５の上部にも複数のＬＥＤ５７１を搭載したＬＥＤ基板５８１を配置する。ただし、隔壁５５５Ｂの上段５５５１の部位に、そのＬＥＤの照明光軸が表示面５５ＩＬの背面を向くようにＬＥＤ基板を配置してしまうと、表示面５５ＩＬを介してＬＥＤの「点光り」を伴なう発光表示品質となってしまう可能性がある。
【００６０】
このため、本実施形態では、図３、図４、あるいは図７に示すように、ＬＥＤ５７１を搭載したＬＥＤ基板５８１は、隔壁５５５Ｂの上段５５５１で囲まれた照明空間の上端部に配置する。その場合、ＬＥＤ基板５８１は、搭載するＬＥＤ５７１の光軸（図４のＬ）が、表示面５５ＩＬの背面と、隔壁５５５Ｂの上段５５５１と、の間を通過するような向きで装着する。なお、ＬＥＤ基板５８１を装着するには、ＬＥＤ基板５８２、５８３の場合と同様、例えば図７に示すように嵌合爪５５５７、５５５７…を用いた嵌合構造を利用することができる。
【００６１】
ここで、図４を参照して、下パネル５５、特にその照明装置収容部５５５の光学的な構造について詳細に説明する。
【００６２】
図４は、図８のＢ−Ｂ’線に沿った断面構造に相当し、同図では下パネル枠５５１を取り外した状態で、下パネル５５の表示面５５ＩＬより後方、特に照明装置収容部５５５の断面構造、特に照明系の光学的な構造を示している。
【００６３】
図４に示すように、ＬＥＤ基板５８１は、搭載するＬＥＤ５７１の光軸Ｌが、直接、表示面５５ＩＬの背面の方向を向かないように配置される。即ち、ＬＥＤ基板５８１は、ＬＥＤ５７１の光軸Ｌが表示面５５ＩＬ（の背面）と、隔壁５５５Ｂの上段５５５１と、の間を通過するような向きで照明装置収容部５５５の上端部内面に装着する。また、隔壁５５５Ｂの上段５５５１の高さの範囲において、表示面５５１Ｌの背面と上段５５５１との間の距離は、概ね奥行きＤ２となっている。なお、以下、本実施形態では、簡略化のため、表示面５５１Ｌの背面と、その後方の隔壁５５５Ｂの間の「距離」を「奥行き」と表現する（奥行きＤ２、ないしＤ３、Ｄ４についても同様）。
【００６４】
この照明装置収容部５５５の上部の奥行きＤ２は、前述のセレクタ５６１の配置スペースによって、隔壁５５５Ｂの上段５５５１の高さ（例えば下記の光軸Ｌ方向の距離Ｄ１）よりもかなり小さく制限されている。
【００６５】
照明装置収容部５５５の上部の奥行きＤ２の狭い範囲を第１の範囲とすると、この第１の範囲の下部に隔壁５５５Ｂの中段５５５２、あるいは下段５５５３によって画成される、中段５５５２以下の第２の範囲の奥行きＤ３、Ｄ４は、前述のセレクタ５６１により制約が緩くなるため、第１の範囲（上部）の奥行きＤ２よりも大きく取ることができる。
【００６６】
この第２の範囲の奥行きＤ３あるいは奥行きＤ４は、ＬＥＤ基板５８２、５８３のＬＥＤ５７２、５７３のように各基板面に垂直な光軸を表示面５５ＩＬの背面方向に向けても「点光り」生じない、あるいは著しく低減できる程度に充分大きく（この例では距離Ｄ３以上）取られているものとする。
【００６７】
なお、本実施形態では、隔壁５５５Ｂの中段５５５２、および下段５５５３の奥行きＤ３、Ｄ４は、図４に示されるように下段の奥行きＤ４の方が大きく取られている。もし、セレクタ５６１やメダル搬送路５６２、５６３の配置スペースが許せば、隔壁５５５Ｂの中段５５５２と下段５５５３の奥行きとして、いずれも上記の大きい方の奥行きＤ４を採用する構成も考えられる。ただし、このような寸法設定によると、上記第１の範囲に相当する隔壁５５５Ｂの上段５５５１の奥行きＤ２と、上記第２の範囲に相当する下部の奥行きＤ４の差が大きくなりすぎて、表示面５５ＩＬの上部と他の部分の表示光量分布の均整を取るのが難しくなる可能性もある。そこで、本実施形態のように、隔壁５５５Ｂの中段５５５２の奥行きＤ３が、上段５５５１の奥行きＤ２と、下段５５５３の奥行きＤ４の中間の距離となるような階段状の隔壁構成とする方が、表示面５５ＩＬの上、中、下の各部分でほぼ均一な表示光量分布を容易に得られる可能性が高い。
【００６８】
さて、図４のような構成では、照明装置収容部５５５の上部の奥行きＤ２の狭い上記第１の範囲において、下パネル５５の表示面５５ＩＬの背面には、ＬＥＤ基板５８１のＬＥＤ５７１の、光軸Ｌとは異なる照射方向を有する周辺光束が直接、あるいは隔壁５５５Ｂの上段５５５１の内面で反射されて照射されることになる。
【００６９】
さらに、本実施形態では、照明装置収容部５５５の上部の奥行きＤ２の狭い上記第１の範囲において、「点光り」が知覚されるのを防ぎつつ、充分な表示照明光量を得るために、隔壁５５５Ｂの上段５５５１の内面の一部、特に上記第１の範囲の、上記第２の範囲と隣接する下端部の位置に反射面５５５６を配置してある。
【００７０】
この反射面５５５６は、例えば、照明光源であるＬＥＤ基板５８１のＬＥＤ５７１に近い上部よりも、ＬＥＤ５７１に遠い下部の方が下パネル５５の表示面５５ＩＬにより近接する形状の曲面（例えば図３、図４のような凹面）によって構成する。好ましくは、反射面５５５６は、図４のようにＬＥＤ基板５８１のＬＥＤ５７１の光軸Ｌを横切るような傾斜を持って表示面５５ＩＬの方向に向かって湾曲させた形状とする。このような反射面５５５６は、例えば、図５〜図７に示すような円筒（内）面によって構成することができる。なお、反射面５５５６の反射に寄与する面の形状は、平板状や、凸面など他の形状であってもよい。しかしながら、反射面５５５６を上記のような凹面ないし円筒（内）面によって構成することにより、表示面５５ＩＬの上部の奥行きＤ２の狭い部分に効率よく照明光を照射することができる。
【００７１】
これにより、照明装置収容部５５５の上部の奥行きＤ２の狭い上記第１の範囲において、ＬＥＤ基板５８１のＬＥＤ５７１の光軸Ｌ方向の比較的大きな輝度を有する照明光を表示面５５ＩＬの背面の方向に反射ないしは拡散させることができる。この反射面５５５６によって反射され、表示面５５ＩＬ方向に照射される照明光は間接照明光であり、反射面５５５６の部位が例えば下記のような（乳）白色アクリルなどの反射材料であれば、表示品質上問題となる「点光り」は殆ど生じない。
【００７２】
なお、隔壁５５５Ｂは、上段５５５１、中段５５５２、下段５５５３の部分は、隔壁５５５Ｂの上段５５５１の一部に配置される反射面５５５６も含め、図示のような形状に、例えば乳白色アクリルなどの樹脂から一体成形によって構成することができる。ただし、反射面５５５６の部分には、他の隔壁５５５Ｂの内面部分と光学的な反射（ないし拡散）特性のバランスを取るために、他の隔壁５５５Ｂの内面部分と異なる反射（ないし拡散）特性を実現する表面加工や塗装を行ってもよい。あるいはさらに、隔壁５５５Ｂは、上段５５５１、中段５５５２、下段５５５３のそれぞれについても、表面加工や塗装によって異なる反射（ないし拡散）特性を付与することができる。これにより、表示面５５ＩＬの表示光量の分布を所望の状態、例えば表示光量の分布が表示面５５ＩＬの全体に亘ってほぼ均一になるように調節することができる。上記のような隔壁５５５Ｂ内面の反射（ないし拡散）特性の調節には、鏡面加工、鏡面シートの貼付、サンドブラストなどによる粗面加工、塗装面の反射（ないし拡散）特性の異なる塗料による塗装などの表面加工や塗装を行うことが考えられる。
【００７３】
なお、ＬＥＤ基板５８１の配置される高さは、下パネル枠５５１で囲まれた矩形の表示面５５ＩＬの上縁とほぼ同等か、それよりも高い位置に取るのが望ましい（図３、図７参照）。これにより、下パネル５５の表示面５５ＩＬを介して「点光り」が知覚される可能性を大きく低減できる。
【００７４】
一方、図５、図６、図７に一部破断斜視で示すように、ＬＥＤ基板５８２、５８３は、隔壁５５５Ｂの中段５５５２、あるいは下段５５５３の垂直な内壁面に対して嵌合爪５５５７、５５５７…によって斜め支持されている。その場合、上述のように、ＬＥＤ基板５８２、５８３は、それぞれ搭載する複数のＬＥＤ５７２、およびＬＥＤ５７３の光軸に沿った照明光が表示面５５ＩＬの背面を斜め下方から照明するように、これら基板は図示のように斜め上方に傾斜して配置される。
【００７５】
また、照明装置収容部５５５の左右は、それぞれ側壁面５５５Ｌ、５５５Ｒによって画成されている。この側壁面５５５Ｌ、５５５Ｒの部分は、例えば照明装置収容部５５５の背面側の隔壁５５５Ｂと同様に乳白色アクリルなどの材料から形成することができる。
【００７６】
また、本実施形態では、図７に示すようにＬＥＤ基板５８２、５８３は、照明装置収容部５５５の幅方向に伸びるそれぞれ１枚の回路基板であるが、ＬＥＤ基板５８１は左右２分割のＬＥＤ基板５８１Ｌ、５８１Ｒによって構成してある。また、同図に示すように、ＬＥＤ基板５８２、５８３はそれぞれ８個ずつのＬＥＤ５７２、およびＬＥＤ５７３をほぼ等距離で搭載し、一方、ＬＥＤ基板５８１Ｌ、５８１Ｒはそれぞれ４個ずつのＬＥＤ５７１をほぼ等距離で搭載している。この構成は、照明装置収容部５５５の隔壁５５５Ｂの上段５５５１、中段５５５２、下段５５５３のＬＥＤ基板５８１（５８１Ｌ、５８１Ｒ）、５８２、５８３でそれぞれ搭載する照明光源のＬＥＤ５７１、５７２、５７３の数を同一とした構成である。しかしながら、所期の照明光量分布を得るなどの目的で、照明装置収容部５５５内の奥行きの異なる各位置のＬＥＤ基板５８１（５８１Ｌ、５８１Ｒ）、５８２、５８３に配置するＬＥＤ５７１、５７２、５７３の数を各基板で異ならせる構成を取ってもよい。
【００７７】
なお、図６、図７において、隔壁５５５Ｂの上段５５５１の左方には、例えばネジ止めなどのための２つの装着座５５５８、５５５８が示してある。これらの装着座５５５８、５５５８は、図８のようにセレクタ５６１が配置される図中右方（図９では図中左方）の領域において、隔壁５５５Ｂの背面側に装着すべき（例えば端子板のような）回路基板などの構成部材を固定するために用いることができる。
【００７８】
以上のような構成において、ＬＥＤ基板５８１（５８１Ｌ、５８１Ｒ）のＬＥＤ５７１、および、ＬＥＤ基板５８２、５８３のＬＥＤ５７２、５７３は、例えば遊技機の稼働期間中を通して常時点灯状態に制御することができる。これら各ＬＥＤ５７１、５７２、および５７３…の点灯（消灯）制御は、主制御基板ユニット４１、ないし副制御基板ユニット（不図示）のいずれによって行ってもよく、あるいは主電源の投入／遮断状態を示すパイロットランプのように用いるのであれば、直接、電源部（不図示）によって制御される構成であってもよい。
【００７９】
上述の構成によれば、上述の従来構成とは異なり、下パネル５５後部の照明装置収容部５５５の上部、特に照明空間の奥行きＤ２の狭い第１の範囲にもＬＥＤ基板５８１（ないしは５８１Ｌ、５８１Ｒ）によって、第１の光源としてＬＥＤ５７１、５７１…を配置している。その場合、ＬＥＤ基板５８１は、搭載するＬＥＤ５７１の照明光軸（Ｌ）が表示面５５ＩＬ（の背面）と、隔壁５５５Ｂの上段５５５１と、の間を通過するような向きで装着する。この場合、上記第１の範囲の照明空間の奥行きＤ２は、照明装置収容部５５５背面側のセレクタ５６１の配置スペースによって、照明空間の奥行きＤ２は、第１の範囲の高さ、例えばＬＥＤ５７１の光軸Ｌの方向に沿った高さ（距離）Ｄ１に比してかなり小さく（狭く）制限されている。
【００８０】
一方、第１の範囲よりも奥行きＤ３、Ｄ４の大きい第２の範囲には、第２の光源として複数のＬＥＤ５７２、および５７３をそれぞれ搭載したＬＥＤ基板５８２、５８３を配置している。さらに、特に上記第１の範囲の、上記第２の範囲と隣接する下端部の位置には、ＬＥＤ基板５８１（ないしは５８１Ｌ、５８１Ｒ）のＬＥＤ５７１、５７１…の照射光、特にその光軸に近い照明光束を反射させるよう、湾曲した（例えば凹面の）反射面５５５６を配置してある。
【００８１】
以上のような構成によって、セレクタ５６１によって下パネル５５後部の照明装置収容部５５５の上部、特に照明空間の奥行きＤ２の狭い第１の範囲で、表示面５５ＩＬの表示光量が他の部位よりも不足するのを防ぐことができる。また、上記構成によれば、第１の範囲の、上記第２の範囲と隣接する下端部の位置に反射面５５５６を配置しているため、反射面５５５６で反射させた間接照明光を、照明装置収容部５５５の照明空間の奥行きＤ２の狭い表示面５５ＩＬの上部領域に効率よく照射することができ、表示面５５ＩＬの上部が例えば遊技者によって薄暗く知覚されたりする可能性を低減することができる。しかもその場合、ＬＥＤ基板５８１のＬＥＤ５７１は、その光軸Ｌが表示面５５ＩＬ（の背面）と、隔壁５５５Ｂの上段５５５１と、の間を通過するような向きで装着されているため、下パネル５５の表示面５５ＩＬを介して「点光り」が知覚される可能性を大きく低減することができる。
【００８２】
また、隔壁（５５５Ｂ）の第２の範囲（５５５２）に、光軸が前記発光表示面の方向を向くよう配置された第２の光源（５７２、５７３）を配置することにより、発光表示面（５５ＩＬ）の上後部の奥行きＤ２が狭い領域のみならず、奥行きＤ３、Ｄ４がそれより広い領域も含め、発光表示面（５５ＩＬ）の全体に亘って均一な発光ないし表示光量を得ることができる。
【００８３】
以上のように、本実施形態によれば、例えばスロットマシンのセレクタ（５６１）のような遊技機構に近接して配置される発光表示パネル（下パネル５５）において、光源の点光りのような現象を抑制しつつ、表示面（５５ＩＬ）の全体に亘って均一な発光ないし表示光量を得ることができる、という優れた効果がある。
【００８４】
なお、上述の実施形態で示したスロットマシン１は、前扉５０を分離不能な一体構造としたが、上扉ユニットと下扉ユニットとに上下に分離して構成し、これら上扉ユニットおよび下扉ユニットを別個に開閉可能に構成してもよい。また、スロットマシンの筐体１０は必ずしも木製に限らず、例えば、樹脂材料などから構成されていてもよい。さらに、本実施形態では、遊技機の制御基板を主制御基板ユニット４１と演出装置を制御する副制御基板ユニットとに分離し、例えば主制御基板ユニット４１から副制御基板ユニットへの単方向通信のみが可能な構成を考えたが、これら主制御基板ユニットおよび副制御基板ユニットは一体に構成されても良い。
【００８５】
また、上述の実施形態では、下パネルの発光表示面を例示したが、上述と同様の構成は、何らかの遊技動作のための遊技機構に近接して配置され、表示面より後部の照明光を伝播させる空間の奥行きが狭い任意の発光表示面に関して実施することができ、その発光表示面は、必ずしも前扉の下部に配置される必要はなく、遊技機の他の任意の部位に配置されるものであってよい。
【００８６】
また、上述の実施形態では、遊技機としてスロットマシンを例示したが、本発明の構成は、何らかの遊技動作のための遊技機構に近接して配置され、表示面より後部の照明光を伝播させる空間の奥行きが狭い発光表示面を有する遊技機であれば、例えばパチンコ玉が遊技盤上を転動するいわゆるパチンコ機など任意の他の遊技機において実施することができる。
【符号の説明】
【００８７】
１…スロットマシン、Ｒ１〜Ｒ３…リール、５０…前扉、５１…表示窓、５２…中央パネル、５５…下パネル、５６…メダル投入口、５９…メダル払出口、５５ＩＬ…発光表示面、５５５…照明装置収容部、５５５Ｂ…隔壁、５６１…セレクタ（遊技機構）、５６２、５６３…メダル搬送路、５６４…開口部、５７１、５７２、５７３…ＬＥＤ（光源）、５８１、５８２、５８３…ＬＥＤ基板
【図１】
2018157912.tif 000003
【図２】
2018157912.tif 000004
【図３】
2018157912.tif 000005
【図４】
2018157912.tif 000006
【図５】
2018157912.tif 000007
【図６】
2018157912.tif 000008
【図７】
2018157912.tif 000009
【図８】
2018157912.tif 000010
【図９】
2018157912.tif 000011